(57)【要約】【課題】インクジェット記録ヘッドにおける電気接合部の良好な封止を行ない常に良好なインク吐出を行なう。【解決手段】記録ヘッドの基板１側のバンプ電極４と配線部材であるベースフィルム６からのリード５とのТＡＢ接合を行ない、その部分を封止樹脂７によって封止する構成において、記録ヘッドのノズルなどを形成する流路形成部材２Ａとバンプ電極との距離Ｄを、封止樹脂７と基板１の表面との密着力が充分になるよう比較的長く（０．１ｍｍ以上）する。【選択図】　　　　図７
2004042453.tif 000002
【特許請求の範囲】
【請求項１】
インクを吐出するインクジェット記録ヘッドにおいて、
インクを吐出する吐出口および該吐出口に連通する流路を形成した流路形成部材と、前記吐出口からインクを吐出するために利用されるエネルギーを発生するエネルギー発生素子と、電気接続のための電極とが設けられた基板と、
該基板の前記電極と接合するリードを具えた配線部材と、
前記電極と前記リードとの接合部と、前記流路形成部材の少なくとも一部とを含んだ範囲を覆って封止する封止材と、
を具え、前記電極と前記流路形成部材との間の、当該基板が前記封止材によって覆われる距離が０．１ｍｍ以上であることを特徴とするインクジェット記録ヘッド。
【請求項２】
前記電極と前記流路形成部材との間の、前記基板が前記封止材によって覆われる面は、基板上の絶縁膜が露出した面であることを特徴とする請求項１に記載のインクジェット記録ヘッド。
【請求項３】
前記電極と前記流路形成部材との間の、前記基板が前記封止材によって覆われる面は、前記封止材および前記基板の面との密着性を増すための膜が形成されたことを特徴とする請求項１に記載のインクジェット記録ヘッド。
【請求項４】
前記密着性を増すための膜は、ポリエーテルアミド、ポリイミドまたはポリイミドアミドよりなることを特徴とする請求項３に記載のインクジェット記録ヘッド。
【請求項５】
インクを吐出するインクジェット記録ヘッドにおいて、
インクを吐出するために利用されるエネルギーを発生するエネルギー発生素子と電気接続のための電極とが設けられた基板と、
該基板の前記電極と接合する複数のリードを配列した配線部材と、
前記電極と前記配線部材の複数のリードを覆って封止する封止材と、
を具え、前記配線部材の前記リード配列の端部近傍に対応する部分に前記封止材が当該表面から裏面へ通るための加工がなされていることを特徴とするインクジェット記録ヘッド。
【請求項６】
前記加工は、孔状の加工であることを特徴とする請求項５に記載のインクジェット記録ヘッド。
【請求項７】
前記加工は、スリット状の加工であることを特徴とする請求項５に記載のインクジェット記録ヘッド。
【請求項８】
前記スリットは、前記複数のリードの配列方向において所定距離おいた部位に加工されたものであることを特徴とする請求項７に記載のインクジェット記録ヘッド。
【請求項９】
前記スリットは、前記複数のリードが当該配線部材本体から突出する根本の部分に連なる面から凹状に加工されたものであることを特徴とする請求項７に記載のインクジェット記録ヘッド。
【請求項１０】
前記スリットは、前記複数のリードが当該配線部材本体から突出する空間を当該リード配列方向に広げるように加工されたものであることを特徴とする請求項７に記載のインクジェット記録ヘッド。
【請求項１１】
前記エネルギー発生素子は熱エネルギーを発生し、該熱エネルギーを利用してインクに気泡を生じさせ、該気泡の圧力によってインクを吐出することを特徴とする請求項１ないし１０のいずれかに記載のインクジェット記録ヘッド。
【請求項１２】
インクを吐出するインクジェット記録ヘッドを用い、被記録媒体にインクを吐出して記録行なうインクジェット記録装置において、前記インクジェト記録装置は、
インクを吐出する吐出口および該吐出口に連通する流路を形成した流路形成部材と、前記吐出口からインクを吐出するために利用されるエネルギーを発生するエネルギー発生素子と、電気接続のための電極とが設けられた基板と、
該基板の前記電極と接合するリードを具えた配線部材と、
前記電極と前記リードとの接合部と、前記流路形成部材の少なくとも一部とを含んだ範囲を覆って封止する封止材と、
を具え、前記電極と前記流路形成部材との間の、当該基板が前記封止材によって覆われる距離が０．１ｍｍ以上であることを特徴とするインクジェット記録装置。
【請求項１３】
前記電極と前記流路形成部材との間の、前記基板が前記封止材によって覆われる面は、基板上の絶縁膜が露出した面であることを特徴とする請求項１２に記載のインクジェット記録装置。
【請求項１４】
前記電極と前記流路形成部材との間の、前記基板が前記封止材によって覆われる面は、前記封止材および前記基板の面との密着性を増すための膜が形成されたことを特徴とする請求項１２に記載のインクジェット記録装置。
【請求項１５】
前記密着性を増すための膜は、ポリエーテルアミド、ポリイミドまたはポリイミドアミドよりなることを特徴とする請求項１４に記載のインクジェット記録装置。
【請求項１６】
インクを吐出するインクジェット記録ヘッドを用い、被記録媒体にインクを吐出して記録行なうインクジェット記録装置において、前記インクジェット記録ヘッドは、
インクを吐出するために利用されるエネルギーを発生するエネルギー発生素子と電気接続のための電極とが設けられた基板と、
該基板の前記電極と接合する複数のリードを配列した配線部材と、
前記電極と前記配線部材の複数のリードを覆って封止する封止材と、
を具え、前記配線部材の前記リード配列の端部近傍に対応する部分に前記封止材が当該表面から裏面へ通るための加工がなされていることを特徴とするインクジェット記録装置。
【請求項１７】
前記加工は、孔状の加工であることを特徴とする請求項１６に記載のインクジェット記録装置。
【請求項１８】
前記加工は、スリット状の加工であることを特徴とする請求項１６に記載のインクジェット記録装置。
【請求項１９】
前記スリットは、前記複数のリードの配列方向において所定距離おいた部位に加工されたものであることを特徴とする請求項１８に記載のインクジェット記録装置。
【請求項２０】
前記スリットは、前記複数のリードが当該配線部材本体から突出する根本の部分に連なる面から凹状に加工されたものであることを特徴とする請求項１８に記載のインクジェット記録装置。
【請求項２１】
前記スリットは、前記複数のリードが当該配線部材本体から突出する空間を当該リード配列方向に広げるように加工されたものであることを特徴とする請求項１８に記載のインクジェット記録装置。
【請求項２２】
前記エネルギー発生素子は熱エネルギーを発生し、該熱エネルギーを利用してインクに気泡を生じさせ、該気泡の圧力によってインクを吐出することを特徴とする請求項１２ないし２１のいずれかに記載のインクジェット記録装置。
【発明の詳細な説明】
【０００１】
【発明の属する技術分野】
本発明は、インクジェット記録ヘッドおよびインクジェット記録装置に関し、詳しくは、インクジェット記録ヘッドを構成する基板とこの基板外の配線部材との電気接続部を絶縁等のために封止する構成に関するものである。
【０００２】
【従来の技術】
近年、インクジェットプリンタは、低コスト、簡易な構成でカラー記録を可能とし、また、高解像度等の高画質の記録を行なうことができるものとして普及している。インクジェット記録方式の記録ヘッドの構造は種々あり、そのうち、吐出に利用される熱エネルギーを発生するヒータの面に垂直な方向にインクを吐出する構造の、いわゆるサイドシュータ型の記録ヘッドは、半導体製造工程と同様の工程で製造でき、特にインク吐出口の高密度化が可能であることから多く用いられている構造の一つである。
【０００３】
この構造の記録ヘッドは、一般に、上記ヒータ等が形成された基板と、この基板外のヘッド構成部材であって基板へ供給する電気配線を形成した部材（本明細書では、「配線部材」という）とを具える。そして、基板と配線部材の配線との電気接続は、ＴＡＢ（Ｔａｐｅ　Ａｕｔｏｍａｔｅｄ　Ｂｏｎｄｉｎｇ）接合によって行なわれることがほとんどである。これは、この接続にともなう製造工程を効率化でき、また、接続部を高密度に配置できるなど、ＴＡＢ接続方式が比較的多くの利点を有しているからである。
【０００４】
米国特許５５１９４２１号公報には、駆動回路を組み込んだ基板と、プラスチックフィルムに銅配線を施し中央に基板取り付け用の開口を形成した配線部材とをＴＡＢ接続して製造される記録ヘッドが開示されている。
【０００５】
また、他の構成として、図１（ａ）および（ｂ）に示す構造の記録ヘッドが知られている。図１（ａ）はこの構造の記録ヘッドの正面図であり、主に、ノズル（インク吐出口）３のノズル列が二列配列する面をなすオリフィスプレート２と、その周囲の配線部材であるベースフィルム６を示している。図１（ｂ）は、図１（ａ）におけるＡ−Ａ線断面図であり、主に、吐出口３およびそれに連通するインク流路や、基板１上の電気配線とベースフィルム上の電気配線とのＴＡＢ接続の構成を示している。
【０００６】
これらの図に示す構造の記録ヘッドは、主に図１（ｂ）に示すように、ヒータ２０やその駆動回路（不図示）を形成した基板１上に流路形成部材２Ａを積層しその上に硬化性樹脂よりなるオリフィスプレート２を形成することにより、吐出口３やこれに連通するインク流路が形成されるものである。また、基板１上の電気回路と、これに記録ヘッド外部から電力等を供給するための媒介となる配線部材、すなわちベースフィルム６とは、基板側のバンプ電極４とベースフィルム側のТＡＢリード５とのТＡＢ接合によって電気的な接続が行なわれる。そして、この接続部は電気的絶縁やインクによる腐食防止等のため、封止樹脂７によって封止される。
【０００７】
なお、図１（ａ）および（ｂ）に示す構造の記録ヘッドは、基板１の中央に設けられたインク供給口８を介して基板裏側に設けられたインク室（不図示）から供給されるインクが各インク流路ヘ至り、そのヒータ２０の駆動により発生する熱を利用してインク中に気泡を生じその圧力によって吐出口（ノズル）からインクを吐出するものである。
【０００８】
【発明が解決しようとする課題】
以上説明した記録ヘッドの構造のうち、特に図１（ａ）および（ｂ）に示す構造の記録ヘッドは、その電気接続部の封止の構成について以下のような問題がある。
【０００９】
第１の問題は、本質的に流路形成部材と封止部材との密着性が比較的劣ることに起因した問題である。図２および図３はこの問題を説明する図であり、電気接続部の詳細を示している。流路形成部材２Ａと封止樹脂７との密着性が劣ることによって、これらの間に図２に示すように微細な隙間Ｓができることがある。一方、インクジェット記録ヘッドでは、その記録動作に伴うインク吐出によって、記録用紙から跳ね返ったインクや浮遊するインクが流路形成部材の表面などにインク滴９として付着する。そして、付着したインク滴９は上記の隙間Ｓに入り込み、基板１の表面まで至ることがある。その結果、基板表面における電気配線などで、インク中のイオンによる電気的な腐食を生ずることになる。この腐食の問題は、インク中に上述した構造の記録ヘッドを浸して所定の電位差の電圧を印加する実験によっても確かめることができる。この実験の条件は記録中の記録ヘッドがおかれる環境とほぼ同様のものである。すなわち、記録ヘッドは上述したように、記録動作に伴い、記録用紙から跳ね返ったインクや浮遊するインクが流路形成部材の表面などの記録ヘッドの表面に付着し所定の電圧が印可された状態で電解質の液体に晒されることになる。
【００１０】
図２に示したように、従来の記録ヘッドの構造が、バンプ電極と流路形成部材との距離を比較的短いものとするのは、上述のような記録ヘッドのおかれる環境を考慮し、インクができるだけ基板に触れないようにすべく流路形成部材で覆う面積をできるだ大きくしようとするためである。従って、ТＡＢ接合では、バンプ電極を露出させるべく流路形成部材を除去する工程があるが、この工程ではその除去する面積をできるだけ小さくする。その結果として図２に示すようにバンプ電極と流路形成部材との距離は比較的短いものとなる。
【００１１】
なお、上記米国特許公報に開示される記録ヘッドの構造では、ТＡＢ接合を行なう接合部の封止構成は、具体的に記載されていない。
【００１２】
封止に関する第２の問題は、上記第１の問題と同様、封止材が封止する範囲に関するものであるが、封止材がТＡＢ接合のためのリードを十分に覆うことができない場合があるという問題である。
【００１３】
すなわち、前述したように記録ヘッドはインク滴に晒される面があり、この面は電気的な腐食などの影響に対して安定していることが望ましい。このため、通常のＩＣにおけるТＡＢ接合とは違って、インクジェット記録ヘッドの場合、ベースフィルムがインクに晒される面（以下、表面という）になるようにし、リードを保護するリード保護膜が裏側（以下、裏面という）になるようにしている。しかしながら、この場合には、封止材がこの裏面まで充分に行き渡らず、結果としてリードを覆うことができない場合がある。
【００１４】
図４（ａ）および（ｂ）はТＡＢ接合部のそれぞれ表面および裏面における封止材の部分布状態を示す図であり、図５はその一部の断面を示す図である。これらの図に示されるように、封止材は、裏面の特に複数のリード配列の端部において不充分となり、保護膜１０と裏面の封止材７Ｂとの間にリード５が露出する部分を生ずることがある。なお、図４においては、リードは配列されるものの一部のみが図示されており、これは以下で示す同様の図においても同じである。
【００１５】
封止材の注入は上記構造において表面側から行なわれる。具体的には、接合部の表面側で封止材を注入することによって行なう。そして、この注入された封止材は、基板１とベースフィルム６との間の隙間１１（デバイスホールともいう）における各リードの間などを通って裏面側まで至る。従って、裏面側の封止材の量は表面と比較して少ない傾向があり、封止が不充分となる傾向がある。これに加え、リード保護膜は、図５に示すようにデバイスホール１１が形成された位置から距離Ｂだけ離れているため、それだけリードを露出している部分が多くなり、従って、封止材で覆うべき面積も多くなる。また、このことは封止材を注入する量を多くしてその分布する範囲を大きくする必要があることを意味する。
【００１６】
リード配列の端部以外では、リード間隔の最適化などによって、上述した裏面側での封止材の不足は防止できる。しかし、配列の端部においては、図６に示すように、封止材７Ｂによってリード５を覆うことができない部分が生ずる。この結果、このようなТＡＢ接合部を具えた記録ヘッドは、インクが表面から浸透して露出したリードを腐食させたり、他のリードとショートするなどの不具合を生ずる可能性があった。
【００１７】
本発明は上述した従来の問題を解決するためになされたものであり、その目的とするところは、電気接合部の良好な封止を行ない常に良好なインク吐出を行なうことができるインクジェット記録ヘッドおよびこれを用いたインクジェット記録装置を提供することにある。
【００１８】
【課題を解決するための手段】
そのために、本発明では、インクを吐出するインクジェット記録ヘッドにおいて、インクを吐出する吐出口および該吐出口に連通する流路を形成した流路形成部材と、前記吐出口からインクを吐出するために利用されるエネルギーを発生するエネルギー発生素子と、電気接続のための電極とが設けられた基板と、該基板の前記電極と接合するリードを具えた配線部材と、前記電極と前記リードとの接合部と、前記流路形成部材の少なくとも一部とを含んだ範囲を覆って封止する封止材と、を具え、前記電極と前記流路形成部材との間の、当該基板が前記封止材によって覆われる距離が０．１ｍｍ以上であることを特徴とする。
【００１９】
また、インクを吐出するインクジェット記録ヘッドを用い、被記録媒体にインクを吐出して記録行なうインクジェット記録装置において、前記インクジェト記録装置は、インクを吐出する吐出口および該吐出口に連通する流路を形成した流路形成部材と、前記吐出口からインクを吐出するために利用されるエネルギーを発生するエネルギー発生素子と、電気接続のための電極とが設けられた基板と、該基板の前記電極と接合するリードを具えた配線部材と、前記電極と前記リードとの接合部と、前記流路形成部材の少なくとも一部とを含んだ範囲を覆って封止する封止材と、を具え、前記電極と前記流路形成部材との間の、当該基板が前記封止材によって覆われる距離が０．１ｍｍ以上であることを特徴とする。
【００２０】
本発明は、基板上の電極と流路形成部材との距離を種々変えた記録ヘッドを前述したインクに浸潤させるテストを行なって得られたものである。すなわち、上記距離がヘッド製造工程における上記電極のマスク精度の０．０５ｍｍ以下で電極周囲の流路形成部材を排除してできる領域の距離である場合は、前述したインク浸入などの問題を生じる。これに対し、上記距離が０．１ｍｍ以上であるときは、良好なヘッド耐久性を得ることができ、その距離が増すほどインクによる腐食の影響が少なくなることが確かめられた。
【００２１】
別の形態では、インクを吐出するインクジェット記録ヘッドにおいて、インクを吐出するために利用されるエネルギーを発生するエネルギー発生素子と電気接続のための電極とが設けられた基板と、該基板の前記電極と接合する複数のリードを配列した配線部材と、前記電極と前記配線部材の複数のリードを覆って封止する封止材と、を具え、前記配線部材の前記リード配列の端部近傍に対応する部分に前記封止材が当該表面から裏面へ通るための加工がなされていることを特徴とする。
【００２２】
また、インクを吐出するインクジェット記録ヘッドを用い、被記録媒体にインクを吐出して記録行なうインクジェット記録装置において、前記インクジェット記録ヘッドは、インクを吐出するために利用されるエネルギーを発生するエネルギー発生素子と電気接続のための電極とが設けられた基板と、該基板の前記電極と接合する複数のリードを配列した配線部材と、前記電極と前記配線部材の複数のリードを覆って封止する封止材と、を具え、前記配線部材の前記リード配列の端部近傍に対応する部分に前記封止材が当該表面から裏面へ通るための加工がなされていることを特徴とする。
【００２３】
以上の構成によれば、電極と流路形成部材との間の、当該基板が封止材によって覆われる距離を０．１ｍｍ以上としたので、封止材と基板とが接触する面積を多くでき、これにより、封止材と基板との密着力を高くすることができる。
【００２４】
また、別の形態の本発明によれば、配線部材のリード配列の端部近傍に対応する部分に封止材が当該表面から裏面へ通るための加工がなされているので、封止材の付与に際して、封止材はその加工部分を通って裏面側へ回り込むことができ、その部分の近傍のリード、つまりリード配列の端部に位置するリードの封止を充分に行なうことができる。
【００２５】
【発明の実施の形態】
以下、図面を参照して本発明の実施形態を詳細に説明する。
【００２６】
（第１実施形態）
図７（ａ）は、本発明の第一の実施形態による記録ヘッドを構成するオリフィスプレートおよびその周囲のベースフィルムを示す正面図であり、同図（ｂ）はそのＡ−Ａ線断面図である。
【００２７】
これらの図は、それぞれ従来例に示した図１（ａ）および（ｂ）とそれぞれ同じ部分を示しており、本実施形態の構造がこの従来例と異なる点は、図８にも同様に示すように、流路形成部材２Ａとバンプ電極４との距離Ｄが従来の場合の距離ｄより長い点である。すなわち、図９の断面図に示すように、バンプ電極４と流路形成部材２Ａとの間で封止材７と基板１とが接触する距離を長くし、これにより、封止材と基板表面との密着力を向上させることができ、仮に封止材と流路形成部材との間にわずかな隙間Ｓができこれを介してインクが浸入しても、それ以上のインクの浸入やインク中のイオンの透過を防ぐことができる。
【００２８】
上述した本実施形態の記録ヘッドの具体的な製造工程は、次の通りである。図７を参照して説明すると、駆動回路、電気配線、ヒータ２０（電気熱変換体）、バンプ電極４（接続電気端子パッド）等が形成された基板１上に流路形成部材と相溶しないレジストを塗布し、フォトリソによってインク流路となる部分が凸となるように型を形成する。次いで、インクに強いエポキシ系感光性樹脂を上記の基板１上に約２０μｍの厚さで塗布し、仮硬化、吐出口露光を行った後、現像によって吐出口となる孔を形成する。この孔の部分と同時に余分な流路形成部材も現像によって除去する。
【００２９】
このとき、従来ではバンプ電極４の周りの流路形成部材だけを取り除いていたが、本実施形態では、この電極部分と残される流路形成部材との距離が封止樹脂７が十分な密着力を得ることができる距離Ｄとなるように除去する。本実施形態では、この距離を０．３ｍｍとする。
【００３０】
次に、基板１においてインク供給口８を形成するため、まず、基板１の表面側を供給口８のパターンのレジストで覆い、裏面に対して必要な部分だけ孔が空くように露光、現像する。そして、アルカリ液（ＫＯＨ、有機アルカリなど）を加熱し、これによって上記孔のパターンでシリコンウェハーが溶解される。ここで、結晶方位の＜１，１，１＞面が溶解しづらく、結晶方位＜１，０，０，＞による４５°の斜面を有した孔が形成される。なお、結晶方位が＜１，１，０＞では垂直の孔となる。
【００３１】
インク供給口８用の孔が形成された基板１の表面と裏面から、上述の流路形成部材の形成で用いた型レジストを除去するため、基板１を溶剤に入れて超音波洗浄を行う。これにより、形成されたインク供給口と露光によって形成された吐出口を介してレジストを洗い出すことができ、インク吐出口およびインク流路が形成される。
【００３２】
上述の各工程は、基板１を形成するシリコンウェハーについて複数の記録ヘッド分について行なわれるものであり、次の工程では、記録ヘッド一つ分の大きさに上記ウェハーを切断して個々の基板１ごとに分離する。そして、それぞれの基板１にＴＡＢリード５を接続するためのハンプ電極４を形成し、次にリード５とバンプ電極４とのＩＬＢ接合（インナーリードボンディング）を行い、次いで封止樹脂である熱硬化性エポキシを上記接合部に注入し、１５０°Ｃで３時間の熱硬化を行う。
【００３３】
最後に、以上のようにして得られるヘッドチップごとに、ベースフィルム６を打ち抜いてチップを分離し、それぞれにインク室であるチップタンク（図示せず）を接着して個々の記録ヘッドを完成する。
【００３４】
本実施形態では基板１において封止樹脂７が接着する表面の部分は、従来用いられているＴａ薄膜は形成せず、直接封止樹脂と密着性の良い、基板を形成するＳＩＮやＳｉＯ２の絶縁膜を露出させておく。これにより、上述の距離による効果とと相俟ってさらに密着性が増す。
【００３５】
（第１実施形態の変形例）
第一の実施形態の変形例は、上記実施形態と同様にバンプ電極と流路形成部材との間の距離を所定の距離とするとともに、封止材が接着される基板表面に密着性を向上させる薄膜を設ける点である。
【００３６】
図１０（ａ）および（ｂ）は本例に関わる記録ヘッドを示す図であり、第１実施形態について示した図７と同様の図である。この図およびその詳細を示す図である図１１に明らかなように、封止材７が接する基板１の表面に薄膜１２が設けられる。すなわち、基板１上に、封止樹脂７と密着性の良い、薄膜（無機、有機）を形成するものであり、本例では、日立化成（株）製の「ｈｉｍａ１」を用い、膜厚２〜５μｍで塗布硬化したものである。これは、ポリエーテルアミドであり、他の樹脂、たとえばポリイミド、ポリアミドイミドなども、十分な密着性をもつのであり使用することができる。なお、この薄膜を形成する場合は、バンプ電極の接続を確実とするためにその周囲の薄膜をエッチングによって除去する。薄膜の材料がｈｉｍａ１の場合、Ｏ２アッシングによって除去する。
【００３７】
このように、本例によれば、前述した距離による密着の効果に加え、密着性を向上させる薄膜を用いることにより、封止材の基板に対する密着性をさらに向上させることができる。
【００３８】
（第２実施形態）
本実施形態は、基板裏面側のТＡＢ接続されるリードの封止材による被覆を十分に行なうことを可能とするものである。
【００３９】
図１２（ａ）および（ｂ）は、本実施形態に関わる基板の表面および裏面におけるТＡＢ接続部の封止の状態を示す図である。なお、本実施形態の記録ヘッドの構造およびその製造方法は、以下に説明する構成に関するもの以外、上述した第１実施形態およびその変形例と同様である。
【００４０】
これらの図に示すように、配線部材であるベースフィルム６の、リード配列の両端に対応する部分それぞれに貫通する孔１３を設ける。
【００４１】
第１実施形態およびその変形例と同様、ТＡＢ接合部においてリード５とバンプ電極４をＩＬＢ接続した後、封止樹脂７Ａをディスペンサでリード５にのせて１５０℃のオーブンで硬化させる。このとき、封止樹脂は、最初供給されたときより粘度が低下して、各リード５と基板１との隙間に入り込み、裏面側までリードを巻き込むように流れてから硬化する。このとき、貫通孔１３にも封止材が供給されているため、上述のように粘度が低下したときに封止樹脂はその孔１３を通ってベースフィルム６の裏面側に回り、上述の各リードの裏側に回った封止樹脂とつながる。これにより、ТＡＢ接続におけるリード配列の最右端と最左端のさらに外側にも十分な封止樹脂７Ｂを存在させてリード全体を覆うことができ、封止が不充分であることによるリードの露出を防ぐことが可能となる。
【００４２】
（第２実施形態の変形例１）
図１３（ａ）および（ｂ）は、上述した第２実施形態の第一の変形例に関わる記録ヘッドを示す図であり，上記第２実施形態について示す図１２と同様の図である。
【００４３】
本変形例では、図１２に示した貫通孔の代わりにスリット（隙間）を設けるものである。すなわち、図１３（ａ）および（ｂ）に示すようにベースフィルム６のリード配列の両端に対応する箇所それぞれにスリット１４を形成する。これにより、上記の第２実施形態同様、表面側のリード上に付与された封止樹脂７Ａはその硬化の前の粘度低下の過程で各リードの裏面側に回るとともに、上記のスリット１４を介してベースフィルム６の裏面側に回り、リードの部分の封止樹脂と連結してリード配列の両端部も充分に覆うことができる。
【００４４】
（第２実施形態の変形例２）
図１４（ａ）および（ｂ）は、本変形例に関わる記録ヘッドを示す図であり、上記の図１２、図１３と同様の図である。
【００４５】
本変形例は、両端部のリード５に隣接した箇所に対応してベースフィルム６にスリット１５を形成するものである。この形態によれば、リード配列により近接して封止樹脂を裏面側へ導くことができ、配列両端部のリードの封止をより確実に行なうことができる。
【００４６】
（第２実施形態の変形例３）
図１５（ａ）および（ｂ）は、本変形例に関わる記録ヘッドを示す図であり、上記の図１２、図１３および図１４と同様の図である。
【００４７】
本変形例は、図１４に示す例のスリット１４とは、その形成する箇所はほぼ同じであるが形状を変えたスリット１６を設けたものである。この場合も同様に、リード配列により近接して封止樹脂を裏面側へ導くことができ、配列両端部のリードの封止をより確実に行なうことが可能となる。
【００４８】
以上説明した本発明の第２の実施形態およびその変形例によれば、封止材によってリードを充分に覆うことができ、記録ヘッドの表面からインクが浸透して露出したリードを腐食させたり、他のリードとショートするなどの不具合を防ぐことができる。
【００４９】
図１６は、以上説明した第１実施形態または第２実施形態あるいはその変形例の記録ヘッドを用いて記録を行なうインクジェット記録装置の一例を、部分断面で示す斜視図である。
【００５０】
図１６において、参照符号２００は記録ヘッドを着脱自在に装着するキャリッジを示し、記録ヘッドとして、イエローインク、マゼンタインク、シアンインクおよびブラックインクのそれぞれについて装着する。キャリッジ２００は、また、これらのインクを貯留するタンク２０１Ｙ、２０１Ｍ、２０１Ｃ、２０１Ｂを着脱自在に搭載する。このキャリッジ２００はガイドシャフト２０２に案内され、モータ２０３により駆動される、プーリ２０５および２０６間に巻回された無端ベルト２０４によって矢印Ａ方向で示される順方向または逆方向に往復移動することができ、これにより、記録ヘッドによる記録のための走査が可能となる。
【００５１】
被記録媒体としての記録紙Ｐは、矢印Ａ方向に直交する矢印Ｂ方向に記録ヘッドの走査の間に、間欠的に搬送される。すなわち、記録紙Ｐはその搬送路において上流側の一対のローラユニット２０７、２０８と、下流側の一対のローラユニット２０９、２１０とにより、挟持され、一定の張力を付加された状態で搬送される。各ローラユニットに対する駆動力の付与は駆動部２１１により行われるが、前述の駆動モータを利用して上記ローラユニットを駆動する構成としてもよい。
【００５２】
キャリッジ２００は、記録開始時または記録中に必要に応じてホームポジションに停止する。このポジションには、各ヘッドの吐出口面をキャップするキャップ部材２１２が設けられ、このキャップ部材２１２には、吐出口面の吐出口を介して強制的にインクを吸引し吐出口内の目詰まりを未然に防止するなどのための吸引ポンプ（図示略）が接続されている。
【００５３】
【発明の効果】
以上説明したように本発明によれば、電極と流路形成部材との間の、当該基板が封止材によって覆われる距離を０．１ｍｍ以上としたので、封止材と基板とが接触する面積を多くでき、これにより、封止材と基板との密着力を高くすることができる。
【００５４】
また、別の形態の本発明によれば、配線部材のリード配列の端部近傍に対応する部分に封止材が当該表面から裏面へ通るための加工がなされているので、封止材の付与に際して、封止材はその加工部分を通って裏面側へ回り込むことができ、その部分の近傍のリード、つまりリード配列の端部に位置するリードの封止を充分に行なうことができる。
【００５５】
この結果、インクジェット記録ヘッドにおける電気接合部の良好な封止を行ない常に良好なインク吐出を行なうことが可能となる。
【図面の簡単な説明】
【図１】（ａ）および（ｂ）は、従来例に関わるインクジェト記録ヘッドの、特にТＡＢ接合部を説明するためのそれぞれ正面図および断面図である。
【図２】図１に示すТＡＢ接合部の詳細を示す断面図である。
【図３】上記従来例のインクジェット記録ヘッドにおいてТＡＢ接合のバンプ電極と流路形成部材との距離が短い点を示す図である。
【図４】（ａ）および（ｂ）は、従来例に関わるインクジェト記録ヘッドの、ТＡＢ接合部における封止の他の問題を説明するための図である。
【図５】上記封止の他の問題を説明する断面図である。
【図６】上記封止の他の問題を説明するためのТＡＢ接合部を裏面側から見た図である。
【図７】（ａ）および（ｂ）は、本発明の第一の実施形態に関わるインクジェト記録ヘッドの、特にТＡＢ接合部を説明するためのそれぞれ正面図および断面図である。
【図８】上記第一実施形態のインクジェット記録ヘッドにおいてТＡＢ接合のバンプ電極と流路形成部材との距離が長い点を示す図である。
【図９】図７に示すТＡＢ接合部の詳細を示す断面図である。
【図１０】（ａ）および（ｂ）は、上記第一の実施形態の変形例に関わるインクジェト記録ヘッドの、特にТＡＢ接合部を説明するためのそれぞれ正面図および断面図である。
【図１１】上記変形例の効果を説明する図である。
【図１２】（ａ）および（ｂ）は、本発明の第二の実施形態に関わるインクジェト記録ヘッドにおけるТＡＢ接合部の封止状態を説明する図である。
【図１３】（ａ）および（ｂ）は、上記第二の実施形態の第一の変形例に関わるインクジェト記録ヘッドにおけるТＡＢ接合部の封止状態を説明する図である。
【図１４】（ａ）および（ｂ）は、上記第二の実施形態の第二の変形例に関わるインクジェト記録ヘッドにおけるТＡＢ接合部の封止状態を説明する図である。
【図１５】（ａ）および（ｂ）は、上記第二の実施形態の第三の変形例に関わるインクジェト記録ヘッドにおけるТＡＢ接合部の封止状態を説明する図である。
【図１６】本発明の実施形態に関わるインクジェット記録ヘッドを用いて記録を行なうインクジェット記録装置を示す斜視図である。
【符号の説明】
１　基板
２　オリフィスプレート
２Ａ　流路形成部材
３　吐出口（ノズル）
４　バンプ電極（接続端子パッド）
５　リード
６　べースフィルム（配線部材）
７、７Ａ、７Ｂ　封止樹脂（封止材）
８　インク供給口
１０　保護樹脂（保護膜）
１１　隙間
１２　薄膜
１３　孔
１４、１５、１６　スリット
【図１】
2004042453.tif 000003
【図２】
2004042453.tif 000004
【図３】
2004042453.tif 000005
【図４】
2004042453.tif 000006
【図５】
2004042453.tif 000007
【図６】
2004042453.tif 000008
【図７】
2004042453.tif 000009
【図８】
2004042453.tif 000010
【図９】
2004042453.tif 000011
【図１０】
2004042453.tif 000012
【図１１】
2004042453.tif 000013
【図１２】
2004042453.tif 000014
【図１３】
2004042453.tif 000015
【図１４】
2004042453.tif 000016
【図１５】
2004042453.tif 000017
【図１６】
2004042453.tif 000018